(57)【特許請求の範囲】
【請求項１】
両縦杆の上端間に横杆を固着して内部を空間となした枠体からなる剛性を有する両側の脚フレームの上下端にそれぞれ前後端に上下貫通した貫通孔を形成した天板支持部材と接地部材を取付けるとともに、両天板支持部材上に天板を取付け、前記接地部材の貫通孔を利用してアジャスターを取付け、脚フレームの外側であって天板支持部材と接地部材との間に外側化粧板を固定するとともに、脚フレームの内側であって天板支持部材と接地部材との間に上下部に前記脚フレームの内部空間と連通するようにコード挿通用開口を設けた内側化粧板を着脱自在に取付けてなることを特徴とする配線機能付き机。
【請求項２】
両縦杆の上端間に横杆を固着して内部を空間となした枠体からなる剛性を有する両側の脚フレームの上下端にそれぞれ天板支持部材と接地部材を取付けるとともに、両天板支持部材上に天板を取付け、脚フレームの外側であって天板支持部材と接地部材との間に外側化粧板を固定するとともに、脚フレームの内側であって天板支持部材と接地部材との間に上下部に前記脚フレームの内部空間と連通するようにコード挿通用開口を設けた内側化粧板を着脱自在に取付け、前記両脚フレームの後縁間に幕板を渡設するにあたり、前記脚フレームの縦杆の後部内面側に係止ピンを突設し、幕板の端面に前記係止ピンを挿入し得る挿入孔と、前記係止ピンの頭部を係止し且つ回転させることによって引き付ける構造の連結具を回転可能に保持する円孔を形成し、前記係止ピンを幕板の挿入孔に挿入し、円孔内に位置した頭部を該円孔に挿入した連結具内に受け入れ、該連結具を回転させて係止ピンを引き付けて連結してなることを特徴とする配線機能付き机。
【発明の詳細な説明】
【０００１】
【発明の属する技術分野】
本発明は、配線機能付き机に係わり、更に詳しくは脚部にコードの配線機能を付与した配線機能付き机に関する。
【０００２】
【従来の技術】
従来、脚板の上下端に天板支持部材と接地部材を固定した構造の脚部を有し、該天板支持部材上に天板を取付けるとともに、接地部材にアジャスターを設けた構造の机は既に公知である。また、天板の後部にコード挿通孔を設けるとともに、天板の下面側に配線ダクトを設けた配線機能付き机も公知である。
【０００３】
また、ＯＡ机では、前記配線ダクトに連通した開口を脚部の上部に設け、側方へ設置した机に渡って配線できるようになしたものは周知である。しかし、従来の机の脚部は、単に天板を支持する機能しか有してなく、この脚部の内部を配線用の空間として利用することは殆どなかった。
【０００４】
尚、一部の机では、脚部の内部を中空として、その内部を配線用の空間として利用することも試みられているが、その配線作業は簡単ではなく、実用的には全く不便であるばかりでなく、本来の機能である脚部の天板支持強度が低下するといった問題があった。
【０００５】
【発明が解決しようとする課題】
そこで、本発明が前述の状況に鑑み、解決しようとするところは、脚部の内部をコードの配線用空間として利用できるとともに、その配線作業も極めて簡単であり、しかも天板支持強度にも優れた脚部構造を有する配線機能付き机を提供する点にある。
【０００６】
【課題を解決するための手段】
本発明は、前述の課題解決のために、両縦杆の上端間に横杆を固着して内部を空間となした枠体からなる剛性を有する両側の脚フレームの上下端にそれぞれ前後端に上下貫通した貫通孔を形成した天板支持部材と接地部材を取付けるとともに、両天板支持部材上に天板を取付け、前記接地部材の貫通孔を利用してアジャスターを取付け、脚フレームの外側であって天板支持部材と接地部材との間に外側化粧板を固定するとともに、脚フレームの内側であって天板支持部材と接地部材との間に上下部に前記脚フレームの内部空間と連通するようにコード挿通用開口を設けた内側化粧板を着脱自在に取付けてなる配線機能付き机を構成した。
【０００７】
また、本発明は、両縦杆の上端間に横杆を固着して内部を空間となした枠体からなる剛性を有する両側の脚フレームの上下端にそれぞれ天板支持部材と接地部材を取付けるとともに、両天板支持部材上に天板を取付け、脚フレームの外側であって天板支持部材と接地部材との間に外側化粧板を固定するとともに、脚フレームの内側であって天板支持部材と接地部材との間に上下部に前記脚フレームの内部空間と連通するようにコード挿通用開口を設けた内側化粧板を着脱自在に取付け、前記両脚フレームの後縁間に幕板を渡設するにあたり、前記脚フレームの縦杆の後部内面側に係止ピンを突設し、幕板の端面に前記係止ピンを挿入し得る挿入孔と、前記係止ピンの頭部を係止し且つ回転させることによって引き付ける構造の連結具を回転可能に保持する円孔を形成し、前記係止ピンを幕板の挿入孔に挿入し、円孔内に位置した頭部を該円孔に挿入した連結具内に受け入れ、該連結具を回転させて係止ピンを引き付けて連結してなる配線機能付き机を構成した。
【０００８】
【発明の実施の形態】
次に本発明の実施形態を添付図面に基づき更に詳細に説明する。図１は本発明に係る配線機能付き机の全体斜視図、図２はその要部の分解斜視図を示し、図中符号１は脚部、２は天板、３は脚フレーム、４は天板支持部材、５は接地部材、６は外側化粧板、７は内側化粧板、８は後部化粧部材、９は幕板をそれぞれ示している。
【０００９】
前記脚部１は、脚フレーム３、天板支持部材４、接地部材５、外側化粧板６、内側化粧板７及び後部化粧部材８とで構成されている。前記脚フレーム３は、スチール製の角パイプからなる両縦杆１０，１０の上端間に横杆１１，１１を固着して内部を空間となした枠体である。そして、前記横杆１１，１１の上下面には、前記天板支持部材４及び接地部材５をネジ１２にて取付けるための螺孔１３，１３をそれぞれ形成している。また、両縦杆１０，１０には前記外側化粧板６をネジ１４にて取付けるための通孔１５，１５をそれぞれ形成している。
【００１０】
前記天板支持部材４と接地部材５は、図３に示すように、本実施形態では同一形状のものを用い、それぞれ上下反転させて使用するようになっている。従って、両部材のうち一方のみを説明すれば、前記天板支持部材４は、後部１６の幅が前記脚フレーム３の厚さよりも広く、前部１７は先細形状となっており、部材の前後端には上下貫通した貫通孔１８，１８を形成し、該貫通孔１８の下半分（接地部材５では上半分）は該貫通孔１８よりも大径の凹部１９となっている。また、前記天板支持部材４の後部１６には、前記脚フレーム３の螺孔１３，１３と対応した位置に取付孔２０，２０を形成し、該取付孔２０の上半分（接地部材５では下半分）は該取付孔２０よりも大径の凹部２１となっており、この凹部２１に前記ネジ１２の頭部が埋没するようになっている。
【００１１】
前記外側化粧板６及び内側化粧板７は、脚フレーム３の上下端に取付けた天板支持部材４と接地部材５の後部１６，１６間に嵌挿し得る上下高さを有するとともに、脚フレーム３の奥行寸法よりも広い横幅を有する長方形状のものであり、外観的に温かみを持たせるために木製で形成している。また、前記内側化粧板７は、上下部にコード挿通用開口２２，２２を設けている。このコード挿通用開口２２は、上部のものは上方へ開放し、下部のものは下方へ開放してあり、前記脚フレーム３に取付けた際に横杆１１，１１よりも内部に連通するような上下長さに設定している。
【００１２】
そして、前述のように脚フレーム３の上下端に、天板支持部材４と接地部材５を、その取付孔２０，…に挿通したネジ１２，…を対応する螺孔１３，…に螺合して取付け、それから天板支持部材４の上面に天板２を載支し、前後端の貫通孔１８，１８に下方より挿通したネジ２３，…を天板２の下面に螺合して取付ける。次に、前記外側化粧板６を、脚フレーム３の外側面で上下の天板支持部材４と接地部材５の両後部１６，１６間に嵌挿状態で、図４に示すように、前記通孔１５の内方側の大径孔２４より挿入した前記ネジ１４を該通孔１５を通して外側化粧板６の内面にねじ込んで固定する。また、前記内側化粧板７は、脚フレーム３の内側面で天板支持部材４と接地部材５の両後部１６，１６間に着脱自在に嵌挿して取付ける。最後に、前記後部化粧部材８を、脚フレーム３の後面に適宜な取付手段で取付ける。
【００１３】
また、両脚部１，１間に前記幕板９を取付ける構造は、図５に示すように、前記脚フレーム３の縦杆１０の後部内面側に係止ピン２５を適宜な手段、例えば縦杆１０の内部に配したナット２６に螺合するか、あるいは縦杆１０の内面側に直接螺孔を形成し、該螺孔に螺合して突設し、幕板９の端面に前記係止ピン２５を挿入し得る挿入孔２７と、前記係止ピン２５の頭部２５Ａを係止し且つ回転させることによって引き付ける構造の連結具２８を回転可能に保持する円孔２９を形成し、前記脚フレーム３に突設した係止ピン２５を幕板９の挿入孔２７に挿入し、円孔２９内に位置した頭部２５Ａを該円孔２９に挿入した連結具２８内に受け入れ、該連結具２８を回転させて係止ピン２５を引き付け、もって脚フレーム３と幕板９とを連結する構造である。この連結構造は、従来公知であり、他の適宜な連結手段を採用し得るのである。また、両脚フレーム３，３間に幕板９を取付けた状態で、図６に示すように、該幕板９の上端と前記天板２の下面との間に所定の間隙３０が形成されるようにしている。
【００１４】
また、前記接地部材５には、前後端に設けた貫通孔１８，１８を利用してアジャスター３１，３１を設ける。具体的には、前記貫通孔１８内に雌ねじ部材を埋設し、該雌ねじ部材にアジャスター３１の螺軸３２を螺合し、また前端側の貫通孔１８の上半分の凹部１９内にキャップ３３を嵌着する。尚、接地部材５の後端側の凹部１９は、前記後部化粧部材８によって外被されるので、それを隠すためのキャップは不要である。また、該凹部１９を利用して前記後部化粧部材８を取付けることも可能である。
【００１５】
また、前記天板２の後部には、上下に開口した開閉蓋付きのコード挿通具３４を取付け、開閉蓋３５，３５を開放することによって天板２を上下に貫通したコード挿通孔３６が形成される。そして、図６に示すように、前記コード挿通孔３６を通してコード３７を配線することができ、またコード３７は前記内側化粧板７を脚フレーム３から外して前記コード挿通用開口２２，２２を通した後、該内側化粧板７を所定位置に取付けることによって、該コード３７を脚フレーム３の内部に配線することが可能である。更に、前記天板２と幕板９との間に設けた間隙３０を利用して、天板２の下面側から幕板９の背面側にコード３７を配線することも可能である。更に、前記天板２の下面後部に、前面開放した配線ダクト３８を設け、該配線ダクト３８内に複数のコード３７，…を紙又は合成樹脂製のクリップ３９で束ねた状態で押し込み配線することも可能である。
【００１６】
次に、前記外側化粧板６の他の取付構造を図７に基づいて説明する。本取付構造は、前記外側化粧板６の上下端面に突条４０，４０又は突起を形成し、前記天板支持部材４及び接地部材５の後部１６，１６で外側寄り対向面に凹溝４１，４１又は凹部を形成し、該天板支持部材４と接地部材５とを脚フレーム３に取付けると同時に、外側化粧板６の突条４０，４０を凹溝４１，４１に嵌合する構造である。この場合には、前記ネジ１４による外側化粧板６の取付けは不要である。
【００１７】
また、前記内側化粧板７を脚フレーム３に着脱自在に取付ける構造としては、図８に示すように、内側化粧板７の下端に突条４２又は突起を形成し、該突条４２を前記接地部材５の後部１６の内側寄り上面に形成した凹溝４３又は凹部に係合するとともに、該内側化粧板７の上部内面側と脚フレーム３間に設けたローターキャッチ、プッシュラッチ、マグネットキャッチ等の係着具４４で着脱自在に支持する構造も好ましい。
【００１８】
また、図９に示すように、前記後部化粧部材８の上部後面側に切欠部４５を形成し、該切欠部４５に端部キャップ４６を着脱自在に取付け、該端部キャップ４６の上下部にコード挿通用の切欠４７，４７を形成し、該端部キャップ４６を後部化粧部材８の切欠部４５に取付けた状態でも、前記切欠４７が両側内外に貫通するように設定し、本発明に係る配線機能付き机を背中合わせで設置した場合でも、前記切欠４７を通してコード３７を両机の幕板９，９間から引き出すことができるようになしている。
【００１９】
更に、図１０に示すように、前記天板支持部材４と接地部材５の貫通孔１８，１８又は凹部１９，１９を利用して、該天板支持部材４と接地部材５の前端間に支持棒４８を取付け、該支持棒４８に電話台４９やその他のオプションを取付けることができるようにすることも実用的である。更に、前記天板支持部材４と接地部材５の前後端の凹部１９，１９を利用して前記同様に図示しない支持棒をそれぞれ取付け、両支持棒を利用して脚部１の全体を板状となして覆うカバーを取付けることもできる。
【００２０】
【発明の効果】
以上にしてなる本発明の配線機能付き机は、以下に示すような顕著な効果を奏するものである。
【００２１】
請求項１によれば、脚部の内部をコードの配線用空間として利用できるとともに、その配線作業も内側化粧板を着脱自在となし、その上下部にコード挿通用開口を設けたので極めて簡単であり、しかも剛性の高い脚フレームを内部に有し、該脚フレームに直接天板支持部材と接地部材とを取付けるので天板支持強度にも優れたものとなる。
【００２２】
請求項２によれば、請求項１の効果に加え、両脚フレームの後縁間に幕板を引き付けて連結することができる。
【図面の簡単な説明】
【図１】本発明に係る配線機能付き机の全体斜視図である。
【図２】同じく要部の分解斜視図である。
【図３】天板支持部材及び接地部材を示し、（ａ）  は平面図、（ｂ）  は側面図、（ｃ）  は底面図である。
【図４】脚フレームに外側化粧板と内側化粧板とを取付けた状態の部分縦断面図である。
【図５】脚フレームと幕板の連結構造を示す部分分解斜視図である。
【図６】本発明に係る配線機能付き机の縦断面図である。
【図７】脚フレームに外側化粧板を取付ける他の構造例を示す分解縦断面図である。
【図８】脚フレームに内側化粧板を取付ける他の構造例を示す分解縦断面図である。
【図９】後部化粧部材の上部に端部キャップを取付ける構造を示す部分分解斜視図である。
【図１０】本発明に係る配線機能付き机の他の実施形態を示す側面図である。
【符号の説明】
１  脚部                  ２  天板
３  脚フレーム            ４  天板支持部材
５  接地部材              ６  外側化粧板
７  内側化粧板            ８  後部化粧部材
９  幕板                  １０  縦杆
１１  横杆                １２  ネジ
１３  螺孔                １４  ネジ
１５  通孔                １６  後部
１７  前部                １８  貫通孔
１９  凹部                ２０  取付孔
２１  凹部                ２２  コード挿通用開口
２３  ネジ                ２４  大径孔
２５  係止ピン            ２６  ナット
２７  挿入孔              ２８  連結具
２９  円孔                ３０  間隙
３１  アジャスター        ３２  螺軸
３３  キャップ            ３４  コード挿通具
３５  開閉蓋              ３６  コード挿通孔
３７  コード              ３８  配線ダクト
３９  クリップ            ４０  突条
４１  凹溝                ４２  突条
４３  凹溝                ４４  係着具
４５  切欠部              ４６  端部キャップ
４７  切欠                ４８  支持棒
４９  電話台
【図１】
0003564978.tif 000002
【図２】
0003564978.tif 000003
【図３】
0003564978.tif 000004
【図４】
0003564978.tif 000005
【図５】
0003564978.tif 000006
【図６】
0003564978.tif 000007
【図７】
0003564978.tif 000008
【図８】
0003564978.tif 000009
【図９】
0003564978.tif 000010
【図１０】
0003564978.tif 000011